(57)【特許請求の範囲】
【請求項１】
頚椎密着型の機能性熟眠枕において、
前記熟眠枕は、頭下敷部材（３００）、該頭下敷部材と分離されて設けられる首下敷部材（４００）、及び前記頭下敷部材と首下敷部材を受け継ぐ連結手段（６００）を含んで形成され、
前記頭下敷部材（３００）は、睡眠者の後頭部を支えて、三つの領域で隔壁分離され、その中で中央領域部は充填材が充填された後頭下敷部（３３０）を形成し、前記後頭下敷部の両側には頭下敷側面部材（３１０、３２０）が連結され、前記後頭下敷部（３３０）と高さが同じであるか、またはより高く充填材が充填されて後頭部を楽に抱えるように形成され、枕を折る場合、顎及び肩空間満たし部（５００、５０１）を形成するように頭下敷側面部材（３１０、３２０）の端部が突出した形態で形成され、
前記首下敷部材（４００）は、睡眠者の頚椎に密着することができるように、充填材が網（メッシュ）手段、或は布地に満たされて形成され、睡眠者の首の後の部位を密着支持するようになったことを特徴とする頚椎密着型機能性熟眠枕。
【請求項２】
頚椎密着型の機能性熟眠枕において、
前記熟眠枕は頭下敷部材（３００）、該頭下敷部材と分離されて設けられる首下敷部材（４００）及び前記頭下敷部材と首下敷部材を引入して収容することができる外被（２００）を含んでなされ、
前記頭下敷部材（３００）は、睡眠者の後頭部を支えて、三つの領域で隔壁分離され、その中で中央領域部は充填材が充填された後頭下敷部（３３０）を形成し、前記後頭下敷部の両側には頭下敷側面部材（３１０、３２０）が連結され、前記後頭下敷部（３３０）と高さが同じであるか、またはより高く充填材が充填されて形成されると共に、顎及び肩空間満たし部（５００、５０１）を形成するように頭下敷側面部材端部が突出形成されて、前記首下敷部材（４００）は、睡眠者の頚椎に密着することができるように充填材が所定の網（メッシュ）手段または布内部に満たされて形成され、睡眠者の首後部位を密着支持するようになることを特徴とする頚椎密着型機能性熟眠枕。
【請求項３】
首下敷部材（４００）を囲む外被（２００、２０１）が設けられ、前記外被（２００、２０１）の両側には通気部（２２０）が設けられ、前記通気部の外周面に沿って弾性力を有した弾性絞り部（２３０、２３１）が形成され、首下敷部材（４００）の動きを最小限にすると共に、睡眠中に枕内部の充填材香を匂うことができるようにすることを特徴とする請求項１または２に記載の頚椎密着型機能性熟眠枕。
【請求項４】
前記首下敷部材（４００）は、頚椎密着部（４１５）及び頚椎密着部を支えながら弾性力を発揮する緩衝部（４１０）で形成されるが、それぞれ上下層に別に設けられていて、頚椎密着部、或は緩衝部のうちで択一的に上下を覆して使用できるように形成されたことを特徴とする請求項１または２に記載の頚椎密着型機能性熟眠枕。
【請求項５】
前記頚椎密着部（４１５）の表面形状は、その断面を基準にして見る時、充填材が突出された突出部（４５０）と該突出部との間空間である凹み（４４０）とが形成されて凹凸構造に形成されることによって、睡眠者の頚椎刺激機能を向上させることを特徴とする請求項４に記載の頚椎密着型機能性熟眠枕。
【発明の詳細な説明】
【技術分野】
【０００１】
本発明は、熟眠を取ることができるようにする機能性熟眠枕に関するものであり、より詳細には、多くの形態の睡眠習慣、即ち、正しく眠る（以下、「正姿勢睡眠」と称する）類型や横に寝返って眠る（以下、「側姿勢睡眠」と称する）類型に関係なく、一つの枕として全ての形態の睡眠習慣に適応可能であり、また睡眠者の身体類型の多様性にもかかわらず、全ての身体類型の睡眠者に使用可能な機能性枕に関するものである。
【背景技術】
【０００２】
人間は、一生の約三分の一を睡眠して過すようになって、現代人は睡眠の重要性を十分に認識し、十分な熟眠を取ることを継続的に要望している。
また、学生や会社員は、長期間のコンピューター作業やテレビの視聴によって、首が前方に突出されて背中が屈曲している屈身形態の姿勢をしている者が多く、更に枕も高いものを好む傾向が強いので、首ディスク患者が急増している。また、十分な時間の睡眠を取っても、疲れを訴える現代人が多いことを見ても枕の重要性は更に大きいと言える。
【０００３】
前記のような問題があるので、人体工学的な解析を通じて、より安楽な睡眠を誘導することができる機能性枕に関する研究は多いが、実際に利用可能な自然親和的な枕は見つけ難い状況であり、これによって疲労した学生、会社員、及び主婦は、適時に睡眠による疲れ回復ができないという実情があるので、これに鑑みて本発明がなされた。
【０００４】
通常、枕は一般的に丸い桶型のものが使用されるが、これは使用者の睡眠習慣や、身体条件などを考慮しないで製作されたものであって、頚椎、背中、肩筋肉が圧迫されて血液の循環が円滑ではなく、頚椎の曲線が逆に撓う現象をもたらすなど、安楽な睡眠を誘導する機能が充分ではなかった。
【０００５】
そして、枕の硬度に関連しては、木枕のように非常に硬い枕、或はそれと反対に羽毛などを利用した非常に柔らかい枕を使用する人がいるが、これは枕科学に対する理解が不足なことに起因したものであり、慢性的な身体疲れと頚椎及び筋肉疲れなどをもたらすという問題点も発生したりした。
本発明は、上記に詳述された問題点を正確に把握し、従来の枕の問題点を一挙に解決することができる頚椎密着型機能性熟眠枕を提示する。
【発明の概要】
【発明が解決しようとする課題】
【０００６】
本発明の第１の目的は、首下敷部材と頭下敷部材とを分離して、睡眠習慣によって枕の高さを調節することができる機能性枕を提供することにある。
本発明の第２の目的は、頚椎近辺の身体屈曲部位に沿って最大限に密着すると共に、追加的な頚椎部位刺激を加えることができる機能性枕を提供することにある。
本発明の第３の目的は、横で寝返った状態で顎と肩の間空間を効率的に満たしてくれることで、人体工学を最大限反映した機能性枕を提供することにある。
本発明の第４の目的は、簡単な操作だけで枕の形態と位置を変更して、睡眠者の選択によって多様な形態の睡眠を取ることができる機能性枕を提供することにある。
【課題を解決するための手段】
【０００７】
前記課題を解決するための手段を説明すれば以下のとおりである。
頚椎密着型の機能性熟眠枕において、前記熟眠枕は、頭下敷部材、前記頭下敷部材と分離して設けられる首下敷部材、及び前記頭下敷部材と首下敷部材とを連結する連結手段を含んで構成される。
【０００８】
前記頭下敷部材は、睡眠者の後頭部を支えて三つの領域に隔壁で分離され、その中で中央領域部が充填材が充填された後頭下敷部を形成する。
前記後頭下敷部の両側には頭下敷側面部材が連結され、該頭下敷側面部材は、前記後頭下敷部と高さが同じであるか、またはより高く充填材が充填されて形成されると共に、顎及び肩空間満たし部を形成するように、頭下敷側面部材の端部が突出た形態で形成される。
【０００９】
前記首下敷部材は、睡眠者の頚椎に密着することができるように、頚椎密着部及び緩衝部を含むが、該首下敷部材の上部は充填材が網（メッシュ）などの網手段或は布内部に満たされて形成される頚椎密着部が形成され、下部は所定の弾性力を有した緩衝部が形成されることを特徴とする頚椎密着型機能性熟眠枕を提示する。
【００１０】
前記頚椎密着部の表面形状は、その断面を基準にして見る時、充填材が突出した突出部と、該突出部との間の空間である凹みと、が形成されて頚椎刺激機能を向上させる。
本発明の機能性熟眠枕は、前記形態以外にも、例えば外被を利用して首下敷部材と頭下敷部材を全て引入させる構造でも具現可能である。
【００１１】
即ち、前記頭下敷部材は、頭下敷部材、前記頭下敷部材と分離して設けられる首下敷部材、及び前記頭下敷部材及び首下敷部材を引入して収容することができる外被を含んで形成される。
前記頭下敷部材は、睡眠者の後頭部を支えて三つの領域で隔壁分離されるが、その中で中央領域部は充填材が充填された後頭下敷部を形成する。
【００１２】
前記後頭下敷部の両側には、頭下敷側面部材が連結されて、該頭下敷側面部材は前記後頭下敷部と高さが同じであるか、またはより高く形成されると共に、顎及び肩空間満たし部を形成するように頭下敷側面部材の端部が突出されて形成される。
前記首下敷部材は、睡眠者の頚椎に密着されることができるように頚椎密着部及び緩衝部を含むが、上部は充填材が満たされて頚椎密着部で構成されて、下部は所定の弾性力を有した緩衝部が形成される。
【発明の効果】
【００１３】
本発明を通じて次のような効果が発揮される。
第一、首下敷部材と頭下敷部材とを分離したので、睡眠をする習慣によって枕の高さを調節することができるようになった。
【００１４】
第２、頚椎付近の屈曲部位に沿って最大限で密着すると共に、追加的な頚椎部位刺激を加えることができる機能性枕を提供することで、頚椎弛緩及びストレッチング効果で頚椎保護と矯正、及び首ディスク発生を根本的に遮断することができるし、首の痛症を緩和させることができることはもちろん、血行改善と疲れの迅速な解消、及びいびきの防止という著しい効果を発揮することができた。
【００１５】
第３、頭下敷側面部材の端部が突出した顎及び肩空間満たし部によって、睡眠者が横で寝返った状態でも顎と肩の間の空間を効率的に満たしてくれることで、首の姿勢を直してくれる機能を果たして、首痛症誘発の遮断及び痛症緩和機能を発揮することができるようになった。
【００１６】
第４、本発明の枕は、簡便な操作だけでも枕の形態と位置とを容易に変更することができる新規な枕構造を有し、睡眠者の選択によって多様な形態の睡眠を取ることができるという長所がある。
【００１７】
即ち、正姿勢睡眠をする場合、首下敷部分を頭下敷部分の上方へ覆いながら使用者の首部位の硬直度を勘案しながら巻き上げれば首下敷部分の高さが上昇されて、この状態で一定時間使った後、ある程度首部分が弛緩された後には簡単に再び元の状態に解いて高さを低くして使用することが可能である。
【図面の簡単な説明】
【００１８】
【図１】本発明の望ましい実施例による枕の外形写真である。
【図２】睡眠者が図１の枕に正しく横になった状態の写真である。
【図３】図１を構成する要素を各要素別に分解して図示した斜視図である。
【図４】図３の斜視図に該当する構成要素を撮影した写真である。
【図５】首下敷部材の断面を示す写真である。
【図６】首下敷部材の側面の形状を示している。
【図７】左側は本発明の枕の一側を折って横になりやすくした状態で睡眠を取る睡眠者を撮影した写真であり、右側は左側の写真とは反対側に横になった睡眠者を表現した図である。
【図８】図７の枕を折る方法を説明するための写真である。
【図９】図７とはまた他の使用状態を説明するための写真である。
【図１０】図９の下の写真と同一な写真として首下敷部材のみを抜き取って撮影したものである。
【図１１】本発明の他の実施例として、首下敷部材と頭下敷部材及びこれを所定の連結手段で連結した図面である。（外被がない）
【図１２】図１１の首下敷部材に外被を囲んだ図面である。
【図１３】本発明の他の実施例による枕を示している写真である。
【図１４】本発明の他の実施例による枕を示している写真である。
【図１５】本発明の他の実施例による枕を示している写真である。
【発明を実施するための形態】
【００１９】
本発明の熟眠枕は、頭下敷部材３００、頭下敷部材と分離して設けられる首下敷部材４００、及び前記頭下敷部材と首下敷部材を連結する連結手段６００を含んで形成される。
前記頭下敷部材３００は、睡眠者の後頭部を支えるものであって、三つの領域に隔壁分離されるが、そのうちで中央領域部には充填材が充填された後頭下敷部３３０が形成される。
【００２０】
前記後頭下敷部の両側には頭下敷側面部材３１０、３２０が連結されるが、該頭下敷側面部材３１０、３２０は、前記後頭下敷部３３０と高さが同じであるか、またはより高く充填材が充填されて、後頭部を楽に抱えるように形成され、枕を折った場合には、顎及び肩空間満たし部５００、５０１を形成するように、頭下敷側面部材３１０、３２０の端部が突出した形態で形成される。
【００２１】
前記首下敷部材４００は、睡眠者の頚椎に密着することができるように、充填材が網（メッシュ）手段、或は布地で充填されて形成され、睡眠者の首の後の部位を密着支持する。
【００２２】
以下に、本発明の望ましい実施例を、図面を引用して詳しく説明する。
但し、本発明の権利範囲は、実施例に限定されず、当業者の水準で変形可能な発明として均等な範疇内の発明であれば、全て本発明の権利範囲内に属することが自明であるということを予め明らかにしておく。
【００２３】
図１は、本発明の望ましい実施例による枕の外形写真であり、図２は睡眠者が図１の枕に正しく横になった状態の写真である。
図１の右側は、睡眠者の頭の天辺部分に隣接する部分であり、図１の首下敷部分は、睡眠者の首の後の凹に窪んだ部分に触れ合う部分に該当する。
【００２４】
図１に示すように、首下敷部分の高さは、頭下敷部分より高く形成されなければならないし、このような形状であれば、頚椎が密着する部位が首の下部を深く広く支えることができるようになり、併せて、睡眠者の後頭部は頭下敷部分に自然に移動することができるようになる。
【００２５】
図３は、図１を構成する要素を各要素別に分解して図示した斜視図であり、図４は、図３の斜視図に該当する構成要素を撮影した写真である。
図３に示すように、本発明の機能性枕は、は大きく三つの部分に分けられる。
即ち、本発明の機能性枕は、頭下敷部材３００と、前記頭下敷部材と分離されて設けられた首下敷部材４００と、前記頭下敷部材及び首下敷部材を引入して収容することができる外被２００と、を含んで形成される。
【００２６】
図３に示すように、頭下敷部材３００は、睡眠者の後頭部を支えて、三つの領域に隔壁分離されるが、そのうちで中央領域部は、充填材が使用者の体形に合うように充填された後頭下敷部３３０を形成し、前記後頭下敷部３３０の両側には頭下敷側面部材３１０、３２０が連結される。
【００２７】
頭下敷側面部材３１０、３２０は、中央の後頭下敷部３３０と高さが同じであるか、或は更に高く充填材が充填されるように形成されて、睡眠時に頭が左右に動く時これを楽に抱くような形態である。
図３の頭下敷部材３００及び首下敷部材４００が挿入される外被２００が切開される線の位置は必要に応じて任意に変更ができることは勿論である。
【００２８】
頭下敷側面部材３００は、端部が中央の後頭下敷部３３０より更に突出して全体的にＵ字形態に湾曲された形状であり、このように突出した部分が顎及び肩空間満たし部５００、５０１（図１参照）になり、このような顎及び肩空間満たし部は、図７に示すように、枕を折って自然に高くなった高さで、側姿勢睡眠を取る時の使用時に、顎と肩との間の空間を満たしてくれる重要な役割を果たすようになる。
【００２９】
後頭下敷部３３０の充填材としては、蔓荊子、或は緑豆が望ましく、頭下敷側面部材３１０、３２０の充填材としては比重が軽いそば殻やメモリフォームなどが望ましいが、当業界で枕充填材として使用する材料であれば、いかなる材料も使用することが可能である。
以下に、図３、図５、及び図６を参照しながら、首下敷部材について説明する。
【００３０】
前記首下敷部材４００は、睡眠者の頚椎に密着することができるように、首の後の窪んだ部分（通常、Ｃ−ＣＵＲＶＥ部分と称する）に対応する形状（図面参照）に形成されて、首の後測を全体的に抱えるクッションの役割を果たすことができる。
首下敷部材は、望ましくは、頚椎密着部４１５及び緩衝部４１０を含み、上部には充填材４２０が網（メッシュ）などの網手段または布内部に満たされた頚椎密着部４１５が形成され、下部には所定の弾性力を有した緩衝部４１０が形成される。
このような構造下では、睡眠者の首を載せた時に、首の荷重によって充填材が首下敷部材内部で一部移動をすると共に、首の後を囲みながら睡眠者の首の後の空間を充分に満たしてくれることができるようになって、安楽な睡眠を誘導するようになるものである。
【００３１】
図５は、首下敷部材の断面を示す写真である。首下敷部材の断面は、枕の長さ方向に長く形成された緩衝部４１０と、頚椎密着部４１５と、に大きく分けられることが望ましい。
しかし、首下敷部材のまた他の実施例として、図５とは異なり、首下敷部材４００内部を緩衝部４１０と頚椎密着部４１５とに分けないで、一体の筒で首下敷部材内部空間を白華片などの軽くて堅い材料のみを充填して製作する形態（図示せず）も可能であり、或は、メモリフォーム（或はラテックス）などの充填材で全てを満たして製作する（図示せず）こともできることは勿論である。
【００３２】
図５に示すように、緩衝部４１０の機能は、メモリフォームなどで外部衝撃を吸収することであり、頚椎密着部４１５部位の機能は、首の後の頚椎部位と枕との間に空間が生じないように密着し、堅いながら隙間なく支えることができる構造で果たすことができる。これによって頚椎密着部の充填材としては、軽さと同時に堅さを有する白華片或は蔓荊子が好ましいが、当業界で通常に使用されるいかなる充填材を使用することも可能である。
【００３３】
図６は、首下敷部材の側面の形状を示しているが、図５に示すような充填材以外にも、表面の長さ方向（Ａ方向）にしたがって凹凸を形成できるように多くの紐で平行に白華片が引入されている。
図面符号４５０は、充填材が引入されて凸状に突出した部位であり、図面符号４４０は、充填材の間の谷部分に該当する凹状の部位である。
【００３４】
図６のａ−ａ断面図に示すように、充填材が充填されており、その表面に別の充填材が多くの紐で充填されている。このような多くの紐の充填材は別に網手段或は、布地を製作してそのなかに充填する方法として可能である。
このような突出部４５０は頚椎部分を刺激して、脳血行改善及び按摩効果などを発揮することができるようになる。
【００３５】
一方、図３に示すように、前記外被２００のうちで首下敷部材４００を収容する外被２００の縁の両側空間には通気部２２０が設けられて、前記通気部の外周面にしたがって弾性力を有した弾性絞り部２３０、２３１が形成される。
【００３６】
弾性絞り部は、望ましくは、ゴム紐など弾性力がある材質で構成され、首下敷部材４００の端部を取ってくれて動きを最小限にする役割をすると共に、中央側の通気部２２０内部で空気が循環することが容易で、枕内部の衛生を保つことができると共に、充填材から発散されるハーブの香りを匂うことができるから、熟眠を誘導するのに著しい効果が得られる。
【００３７】
図７は、左側は本発明の枕の一側を折って横になりやすくした状態で睡眠を取る睡眠者を撮影した写真であり、右側は左側の写真とは反対側に横になった睡眠者を表現した図である。そして、図８は、図７の枕を折る方法を説明するための写真である。
【００３８】
図８の上側の写真のように、本発明の枕を広げた状態で、頭下敷側面部材３１０、３２０の端部に形成された突出部位である顎及び肩空間満たし部５００、５０１を持って、Ｂ方向（図８参照）に折るが、顎及び肩空間満たし部５００、５０１が枕（図８の上側図面）の左側端部に重なるように折って使えば、図７のように横になった姿勢で枕を使用することができる。
【００３９】
本発明の大きい特徴の一つが、顎及び肩空間満たし部５００、５０１を備えることであるが、図７のように睡眠者の腕と顎との間に生ずる空間を全て埋めることによって、睡眠者の顎の動きを最小化させて安定度を極大化することができ、また顎及び肩空間満たし部５００下では、睡眠者が腕を自然に抜き取ることができる空間が確保されて、睡眠中の腕の凝り現象による血行悪化を防止するという重要な役割をするようになる。
【００４０】
横に寝返った姿勢を取る時は、肩の幅のために、低い枕を使用した時に肩が重なるようになって、これによって痛症が隋伴するなどの問題が発生するが、本発明に係る機能性枕を、図７及び図８のような方法で折り重ねて使用するようにすれば、前記のような問題を解決することができるようになる。このような本発明の機能性枕の機能は、首下敷部材と頭下敷部材とが一体ではなく、別体に構成されているために可能なものである。
【００４１】
図９は、図７とはまた別の使用状態を説明するための写真であり、図１０は図９の下の写真と同一な写真として、単に、首下敷部材４００のみを外被２００から抜き取って撮影したものである。
図９も、横に寝返って図８のように枕の厚さを厚くして側姿勢の睡眠を取るようにするための使用方法を示している。
【００４２】
本出願人が多数の実験を行った結果、図９のように枕を折る行為は、睡眠を取っている状態、即ち、無意識状態でも簡単に図９のように折ることができるということが示されたし、本発明による枕の効用性は更に大きいとすることができる。
図９の上側の図のように、枕を広げておいた状態で下の図のようにＣ方向で首下敷部材４００を持って反対側に折れば図５とは反対に首下敷部材４００下部に位置した緩衝部４１０が上部に上って来る。
【００４３】
睡眠者は、この状態で、メモリフォームのような緩衝部４１０に横顔をつけて睡眠することができるために、よりふくよかな感じで睡眠を楽しむことができるようになる。
図１１は、本発明の他の実施例であり、首下敷部材と頭下敷部材及を所定の連結手段で連結した図面である。（外被がない）
【００４４】
図１１の連結手段６００以外にも、図示しないが、当業者は紐、ベルクロテープ、又はジッパーなどいろいろ変形された連結手段を本発明に適用することっができるはずであり、本発明の権利範囲にはいかなる連結手段でも本発明の技術的思想と同一であればその形態を問わず本発明の権利範囲に属するであろう。
【００４５】
一方、図１２は、図１１の首下敷部材に外被を囲んだ図面であり、通気部と弾性絞り部がある理由は前述したとおりである。
図１３は、本発明の他の実施例による枕を示している写真であるが、図１の枕とは全体的な構造は同一であるが、他の色調の外被を適用したものである。また、充填材の充填程度を図１の場合と異にして、外被がより膨張しているように構成したものである。このように、本発明の目的を達成するためには、多様に変形された実施例を適用することができる。
【００４６】
図１４は、本発明の他の実施例による枕を示している写真であり、図１３の枕を、図７、図８の下部図面のように折って睡眠を取ることができるようにしたものである。
図１５は、本発明の他の実施例による枕を示している写真であり、図１３の枕を図９の下部図面のように折って使用することができる状態を撮影したものである。
【００４７】
本発明の望ましい実施例を詳しく説明したが、当業者らは本出願技術を土台として多様な変形発明が可能であろう。しかし、本発明と技術的思想を共有する範囲内の全ての均等発明は、全て本発明の権利範囲内に属することを再び明らかにしておく。
【産業上の利用可能性】
【００４８】
本発明は機能性寝具を製造する産業分野に広く適用可能である。
【図１】
0005848492.tif 000002
【図２】
0005848492.tif 000003
【図３】
0005848492.tif 000004
【図４】
0005848492.tif 000005
【図５】
0005848492.tif 000006
【図６】
0005848492.tif 000007
【図７】
0005848492.tif 000008
【図８】
0005848492.tif 000009
【図９】
0005848492.tif 000010
【図１０】
0005848492.tif 000011
【図１１】
0005848492.tif 000012
【図１２】
0005848492.tif 000013
【図１３】
0005848492.tif 000014
【図１４】
0005848492.tif 000015
【図１５】
0005848492.tif 000016